(57)【要約】【課題】出力される工程監査支援情報に基づき工程監査を実施することで、担当者の専門外の加工工程についても監査することを可能にする。【解決手段】本発明の工程監査支援システムには、ネットワーク１００を介してサーバ装置１と、監査実行者が用いる端末装置（ＰＣ）２、管理者が用いる端末装置（ＰＣ）３及び出力装置（プリンタ）４が接続される。また、サーバ装置１は、工程監査支援情報データベース１１を有すると共に、情報出力処理部１２と情報選択処理部１３と情報入力処理部１４が設けられている。ただし、本発明の工程監査支援システムは、サーバ装置１の代わりに端末装置おいてスタンドアロン環境で動作させることも可能である。【選択図】図１
2007148657.tif 000002
【特許請求の範囲】
【請求項１】
部品供給元の工程監査を行う際に必要な工程監査支援情報を提供する工程監査支援システムであって、
前記工程監査支援情報を前記部品の各加工工程別に管理する管理手段と、
監査対象の前記部品の一つまたは複数の加工工程を選択する選択手段と、
前記選択手段で選択された一つまたは複数の加工工程の前記工程監査支援情報のみを抽出して工程監査シートとして出力する出力手段と
を有することを特徴とする工程監査支援システム。
【請求項２】
前記工程監査支援情報が前記工程監査における確認事項とその判断基準の情報とで構成されることを特徴とする請求項１記載の工程監査支援システム。
【請求項３】
前記工程監査支援情報の追加及び／または更新を行うための入力手段を備えたことを特徴とする請求項１記載の工程監査支援システム。
【請求項４】
工程監査結果情報を登録する監査結果入力手段と、
前記工程監査結果情報を管理する監査結果管理手段と
を備えたことを特徴とする請求項１記載の工程監査支援システム。
【請求項５】
前記選択手段で選択された前記工程監査支援情報を、前記監査結果管理手段に蓄積された過去の工程監査結果情報に基づく監査の要否の判断により取捨する過去監査情報処理手段をさらに備えたことを特徴とする請求項４記載の工程監査支援システム。
【請求項６】
前記管理手段がネットワーク上のサーバ装置に存在していることを特徴とする請求項１〜５のいずれか一つに記載の工程監査支援システム。
【請求項７】
部品供給元の工程監査を行う際に必要な工程監査支援情報を提供する工程監査支援サーバ装置であって、
データベースを有すると共に端末装置と出力装置とがネットワークを介して接続され、
前記データベースで前記工程監査支援情報を前記部品の各加工工程別に管理する機能と、
前記端末装置で監査対象の前記部品の一つまたは複数の加工工程を選択する機能と、
前記出力装置で前記端末装置により選択された一つまたは複数の加工工程の前記工程監査支援情報のみを抽出して工程監査シートとして出力する機能と
を実現するプログラムが設けられていることを特徴とする工程監査支援サーバ装置。
【請求項８】
前記工程監査支援情報が前記工程監査における確認事項とその判断基準の情報とで構成されることを特徴とする請求項７記載の工程監査支援サーバ装置。
【請求項９】
前記工程監査支援情報の追加及び／または更新を行うための機能を前記端末装置と同じかまたは別の端末装置で実現するプログラムが設けられていることを特徴とする請求項７記載の工程監査支援サーバ装置。
【請求項１０】
工程監査結果情報を登録する監査結果入力機能と、
前記工程監査結果情報を管理する監査結果管理機能と
を実現するプログラムが設けられていることを特徴とする請求項７記載の工程監査支援サーバ装置。
【請求項１１】
前記端末装置で選択された前記工程監査支援情報を、前記監査結果管理機能に蓄積された過去の工程監査結果情報に基づく監査の要否の判断により取捨する過去監査情報処理機能を実現するプログラムがさらに設けられていることを特徴とする請求項１０記載の工程監査支援サーバ装置。
【請求項１２】
部品供給元の工程監査を行う際に必要な工程監査支援情報を提供するシステムに設けられる工程監査支援プログラムであって、
前記工程監査支援情報を前記部品の各加工工程別に管理する管理機能と、
監査対象の前記部品の一つまたは複数の加工工程を選択する選択機能と、
前記選択手段で選択された一つまたは複数の加工工程の前記工程監査支援情報のみを抽出して工程監査シートとして出力する出力機能と
を実現するようにした工程監査支援プログラム。
【請求項１３】
前記工程監査支援情報が前記工程監査における確認事項とその判断基準の情報とで構成されることを特徴とする請求項１２記載の工程監査支援プログラム。
【請求項１４】
前記工程監査支援情報の追加及び／または更新を行うための入力機能を実現するようにした請求項１２記載の工程監査支援プログラム。
【請求項１５】
工程監査結果情報を登録する監査結果入力機能と、
前記工程監査結果情報を管理する監査結果管理機能と
を実現するようにした請求項１２記載の工程監査支援プログラム。
【請求項１６】
前記選択手段で選択された前記工程監査支援情報を、前記監査結果管理機能に蓄積された過去の工程監査結果情報に基づく監査の要否の判断により取捨する過去監査情報処理機能をさらに実現するようにした請求項１５記載の工程監査支援プログラム。
【請求項１７】
前記管理機能がネットワーク上のサーバ装置で実現されるようにした請求項１２〜１６のいずれか一つに記載の工程監査支援プログラム。
【発明の詳細な説明】
【技術分野】
【０００１】
本発明は、例えば部品供給元の工程監査を行う際に使用して好適な工程監査支援システム、工程監査支援サーバ装置及び工程監査支援プログラムに関する。詳しくは、工程監査を行う際に必要な工程監査支援情報を記載した工程監査シートを作成することにより、良好な工程監査支援を行うことができるようにしたものである。
【背景技術】
【０００２】
従来から工程監査を容易かつ迅速に適切な監査を実施するためのシステムが提案されている（例えば、特許文献１参照。）。
【０００３】
部品供給先の工程監査を行う際には、監査担当者自身の持っているノウハウに基づき、指摘や改善依頼を実施しているのが現状である。これに対して特許文献１には、工程監査を容易かつ迅速に適切な監査を実施するためのシステムが提案されているものであるが、監査の内容に関して監査担当者を支援しているものではない。
【特許文献１】特開２００３−１５０６２７号公報
【発明の開示】
【発明が解決しようとする課題】
【０００４】
例えば新たに製品を製造するに当っては、その製品に使用される部品を調達する部品供給元に対して、要求される品質の達成や向上を目的とした工程監査が実施される。なおここで言う部品とは、ボルトやナット等の素材部品ではなく、任意の加工工程に従って製造される二次部品を指すものである。
【０００５】
このような工程監査を実施するにあたり、板金やモールド部品などの比較的加工工程の少ない部品であれば、専門の担当者一人のノウハウだけでも充分に工程監査を実施することができるが、電気部品やユニットなどの複合部品については、その加工工程も多岐にわたり、担当者一人のノウハウでは対応しきれないことがある。
【０００６】
これに対して、関連するすべての加工工程に対し、監査項目を検討し、監査の準備を行うことは非常に手間のかかる作業であり、非効率的である。また、各加工工程毎に専門の担当者が工程監査を実施するということも非現実的かつ非効率的である。さらにこのようなやり方では担当者のノウハウに頼っているため、担当者間の監査項目や判断にもバラツキが生じてしまうという問題がある。
【０００７】
この発明はこのような問題点に鑑みて成されたものであって、本発明の目的は、加工工程が多岐にわたる電気部品やユニットの部品供給元の工程監査を、一人の担当者で実施できるように支援するとともに、担当者間の監査レベルのバラツキを抑制するためのシステムを提供することである。また監査準備の時間短縮による効率化も目的のひとつである。
【課題を解決するための手段】
【０００８】
上記の課題を解決し、本発明の目的を達成するため、請求項１に記載された発明は、部品供給元の工程監査を行う際に必要な工程監査支援情報を提供するものであって、工程監査支援情報を部品の各加工工程別に管理する管理手段と、監査対象の部品の一つまたは複数の加工工程を選択する選択手段と、選択手段で選択された一つまたは複数の加工工程の工程監査支援情報のみを抽出して工程監査シートとして出力する出力手段とを有することを特徴とする工程監査支援システムである。
【０００９】
また、請求項２に記載の工程監査支援システムにおいては、工程監査支援情報が工程監査における確認事項とその判断基準の情報とで構成されることを特徴とするものである。
【００１０】
請求項３に記載の工程監査支援システムにおいては、工程監査支援情報の追加及び／または更新を行うための入力手段を備えたことを特徴とするものである。
【００１１】
請求項４に記載の工程監査支援システムにおいては、工程監査結果情報を登録する監査結果入力手段と、工程監査結果情報を管理する監査結果管理手段とを備えたことを特徴とするものである。
【００１２】
請求項５に記載の工程監査支援システムにおいては、選択手段で選択された工程監査支援情報を、監査結果管理手段に蓄積された過去の工程監査結果情報に基づく監査の要否の判断により取捨する過去監査情報処理手段をさらに備えたことを特徴とするものである。
【００１３】
請求項６に記載の工程監査支援システムにおいては、管理手段がネットワーク上のサーバ装置に存在していることを特徴とするものである。
【００１４】
さらに、本発明の目的を達成するため、請求項７に記載された発明は、部品供給元の工程監査を行う際に必要な工程監査支援情報を提供するものであって、データベースを有すると共に端末装置と出力装置とがネットワークを介して接続され、データベースで工程監査支援情報を部品の各加工工程別に管理する機能と、端末装置で監査対象の部品の一つまたは複数の加工工程を選択する機能と、出力装置で端末装置により選択された一つまたは複数の加工工程の工程監査支援情報のみを抽出して工程監査シートとして出力する機能とを実現するプログラムが設けられていることを特徴とする工程監査支援サーバ装置である。
【００１５】
また、請求項８に記載の工程監査支援サーバ装置においては、工程監査支援情報が工程監査における確認事項とその判断基準の情報とで構成されることを特徴とするものである。
【００１６】
請求項９に記載の工程監査支援サーバ装置においては、工程監査支援情報の追加及び／または更新を行うための機能を端末装置と同じかまたは別の端末装置で実現するプログラムが設けられていることを特徴とするものである。
【００１７】
請求項１０に記載の工程監査支援サーバ装置においては、工程監査結果情報を登録する監査結果入力機能と、工程監査結果情報を管理する監査結果管理機能とを実現するプログラムが設けられていることを特徴とするものである。
【００１８】
請求項１１に記載の工程監査支援サーバ装置においては、端末装置で選択された工程監査支援情報を、監査結果管理機能に蓄積された過去の工程監査結果情報に基づく監査の要否の判断により取捨する過去監査情報処理機能を実現するプログラムがさらに設けられていることを特徴とするものである。
【００１９】
さらに、本発明の目的を達成するため、請求項１２に記載された発明は、部品供給元の工程監査を行う際に必要な工程監査支援情報を提供するシステムに設けられるものであって、工程監査支援情報を部品の各加工工程別に管理する管理機能と、監査対象の部品の一つまたは複数の加工工程を選択する選択機能と、選択手段で選択された一つまたは複数の加工工程の工程監査支援情報のみを抽出して工程監査シートとして出力する出力機能とを実現するようにした工程監査支援プログラムである。
【００２０】
また、請求項１３に記載の工程監査支援プログラムにおいては、工程監査支援情報が工程監査における確認事項とその判断基準の情報とで構成されることを特徴とするものである。
【００２１】
請求項１４に記載の工程監査支援プログラムにおいては、工程監査支援情報の追加及び／または更新を行うための入力機能を実現するようにしたものである。
【００２２】
請求項１５に記載の工程監査支援プログラムにおいては、工程監査結果情報を登録する監査結果入力機能と、工程監査結果情報を管理する監査結果管理機能とを実現するようにしたものである。
【００２３】
請求項１６に記載の工程監査支援プログラムにおいては、選択手段で選択された工程監査支援情報を、監査結果管理機能に蓄積された過去の工程監査結果情報に基づく監査の要否の判断により取捨する過去監査情報処理機能をさらに実現するようにしたものである。
【００２４】
請求項１７に記載の工程監査支援プログラムにおいては、管理機能がネットワーク上のサーバ装置で実現されるようにしたものである。
【発明の効果】
【００２５】
本発明の工程監査支援システム、工程監査支援サーバ装置及び工程監査支援プログラムによれば、出力される工程監査支援情報に基づき工程監査を実施することで、担当者の専門外の加工工程についても監査することが可能になる。また同時に同一の工程監査支援情報に基づいて各担当者が工程監査を実施するため、担当者間の工程監査内容のバラツキを抑えることが可能となる。さらに監査項目を新たに検討する必要がないため、監査の準備に要する時間を大幅に短縮することができる。
【発明を実施するための最良の形態】
【００２６】
以下、図面を参照して本発明を説明するに、図１は本発明による工程監査支援システム、工程監査支援サーバ装置及び工程監査支援プログラムを適用した工程監査支援システムの全体構成の一実施形態を示す構成図である。
【００２７】
図１において、本発明の工程監査支援システムには、ネットワーク１００を介してサーバ装置１と、監査実行者が用いる端末装置（ＰＣ）２、管理者が用いる端末装置（ＰＣ）３及び出力装置（プリンタ）４が接続される。また、サーバ装置１は、工程監査支援情報データベース１１を有すると共に、情報出力処理部１２と情報選択処理部１３と情報入力処理部１４が設けられている。ただし、本発明の工程監査支援システムは、サーバ装置１の代わりに端末装置おいてスタンドアロン環境で動作させることも可能である。
【００２８】
次に図２には、監査実行者が用いる端末装置２と、サーバ装置１及び出力装置４の相互の関係を、処理シーケンス図で示す。この図２において、端末装置２のステップＳ１でアクセスが行われると、サーバ装置１のステップＳ１０で起動が行われ、ステップＳ１１でパスワードの要求が端末装置２に対して送信される。これに対して端末装置２では、ステップＳ２で図３に示すようなパスワード要求の画面が受信、表示され、ステップＳ３でパスワードが入力されると、サーバ装置１に向けて入力されたパスワードが送信される。
【００２９】
このパスワードがサーバ装置１のステップＳ１２で受信されると、ステップＳ１３ではパスワードが正しいか否か判断される。ここでパスワードが正しくない場合（Ｎｏ）は、ステップＳ１４でアクセス拒否の情報が端末装置２に送信されて処理は終了される。また、端末装置２では、ステップＳ４で拒否の情報が表示されて処理は終了される。なお、ここでの終了は処理の終了であり、この終了によってプログラムの先頭に戻されるものである。すなわちこのようなパスワードによって、セキュリティ管理が実施される。
【００３０】
これに対してサーバ装置１のステップＳ１３でパスワードが正しいとき（Ｙｅｓ）は、ステップＳ１５で選択画面の送信が行われる。これにより端末装置２のステップＳ５では、図４に示すような工程名選択の画面が表示される。ここで、工程名選択の画面には、全ての部品の製造で用いられる加工工程の名称が一覧で表示されているものである。そして、ステップＳ６でマウス等により加工工程の名称をポインティングしてクリックすることにより、選択された名称に「＊」が表示されて選択入力が行われる。
【００３１】
なお、この工程名選択の画面においては、予め対象とされる部品の名称を入力することにより、その部品の製造に用いられる加工工程にデフォルトで「＊」が表示されるようにしてもよい。その場合も、ステップＳ６で加工工程の名称をポインティングしてクリックすることにより、選択する加工工程の追加や削除を行うことができる。そしてステップＳ７で選択入力が完了したか否か判断され、完了でないとき（Ｎｏ）はステップＳ６に戻されて、選択入力が継続される。
【００３２】
さらに、ステップＳ７で選択入力が完了したとき（Ｙｅｓ）は、図５に示すような工程監査支援情報シート要求の画面で、「工程監査シート出力」の釦がクリックされることにより、ステップＳ８でサーバ装置１に向けて選択（「＊」が表示）された加工工程の情報が送信される。そして、この選択された加工工程の情報がサーバ装置１のステップＳ１６で受信されると、ステップＳ１７で工程監査支援情報データベース１１から選択された加工工程の情報に対応する工程監査支援情報が抽出される。
【００３３】
ここで工程監査支援情報データベース１１には、図６に示すように加工工程別に監査項目情報と判断基準情報が収められている。そしてこの工程監査支援情報データベース１１から、上述の選択された加工工程の情報に従って工程監査支援情報が抽出され、抽出された工程監査支援情報によってステップＳ１８で図７に示すような加工工程別工程監査支援情報シートの画像が作成される。さらにステップＳ１９では画像の作成が完了したか否か判断され、完了していないとき（Ｎｏ）はステップＳ１７に戻されて抽出が継続される。
【００３４】
そして、ステップＳ１９で画像の作成が完了したとき（Ｙｅｓ）は、ステップＳ２０で作成されたシート画像が出力装置（プリンタ）４に向けて送信されてサーバ装置１の処理は終了される。また、出力装置４のステップＳ２１でシート画像が受信されると、ステップＳ２２で受信されたシート画像が印刷される。さらにステップＳ２３で印刷完了通知が端末装置２に向けて送信されて出力装置４の処理は終了される。さらに端末装置２では、ステップＳ９で印刷完了通知が表示されて処理が終了される。
【００３５】
これによって出力装置４からは、例えば図７に示すような加工工程別工程監査支援情報シートが出力される。そしてこのシートにおいては、加工工程別に監査項目情報と判断基準情報が表示され、このシートを用いて工程監査を実施することで、担当者の専門外の加工工程についても監査することが可能になる。また同時に同一の工程監査支援情報に基づいて各担当者が工程監査を実施するため、担当者間の工程監査内容のバラツキを抑えることが可能となる。なお図８には、加工工程別工程監査支援情報のさらに具体例を示す。
【００３６】
すなわち、上述の加工工程別工程監査支援情報シートにはその加工工程の説明も格納されており、監査担当者の専門外の加工工程であっても工程監査前にその内容を簡単に確認することができる。また、上記の監査項目情報には監査時に確認を実施する項目が格納されており、判断基準情報にはその監査項目に対する理想状態や標準状態、および不十分な状態などの情報が格納されている。これにより監査項目に対し改善を依頼する必要があるかを監査担当者によるバラツキなく判断可能となる。
【００３７】
さらに工程監査シートには、監査対象部品・部品供給元・監査日などの情報を設定することで、図９に示すようにそれらの情報も同時に工程監査シートに出力することが可能である。またこの工程監査シートは、図中に示すように加工工程名、監査項目、判断基準、判定結果で構成されている。加工工程名、監査項目、判断基準については工程監査支援情報データベースから取得した情報を出力している。判定結果については実際に工程監査時に記載できるように、出力時には空欄となっている。
【００３８】
そして、このような工程監査シートを用いて工程監査を行った場合には、その判定結果を本発明の工程監査支援システム、工程監査支援サーバ装置及び工程監査支援プログラムにフィードバックしてその精度を向上させることができる。そこで図１０には、フィードバックを行うためのフローチャートを示す。なお、図１０において、セキュリティ管理に関する端末装置２でのステップＳ５までの処理と、サーバ装置１でのステップＳ１５までの処理は、上述した図２における処理と同様であるので、重複の説明を割愛する。
【００３９】
この図１０においてセキュリティ管理が完了すると、端末装置２のステップＳ３１でフィードバックのためのシート画面の要求がサーバ装置１に対して行われる。これに対して、サーバ装置１のステップＳ４１でこの要求が受信されると、ステップＳ４２でシート画像が送信される。これにより端末装置２のステップＳ３２で上述の図９に示したような工程監査シートが表示される。そしてステップＳ３３において、このシートの判定結果の欄に工程監査によって判定された結果が入力される。
【００４０】
さらに端末装置２のステップＳ３４で入力が完了したか否か判断され、完了でないとき（Ｎｏ）はステップＳ３３に戻されて、選択入力が継続される。そして入力が完了したとき（Ｙｅｓ）は、例えば図５に示す画面で「工程監査結果登録」の釦がクリックされることにより、ステップＳ３５で監査結果がサーバ装置１に送信される。これによりサーバ装置１では、ステップＳ４３で監査結果が受信され、ステップＳ４４で受信された監査結果が工程監査支援情報データベース１１に登録されてフィードバックが行われる。
【００４１】
なお図１１には、工程監査シートのより具体的な実施形態を示す。すなわちこの図１１に示す工程監査シートには、監査対象部品・部品供給元・監査日などの情報や、加工工程名、監査項目、判断基準、判定結果の欄などが記載される。そしてこのシートが、例えば表計算ソフトと連動したシートで形成されている場合には、判定結果の欄に記入力される値等を重み付けして累計するなどの計算処理により、自動的に関さされた加工工程の評価を定めることもできるものである。
【００４２】
そこで、例えば監査において継続して高い評価に判定された部品供給元に対しては、以後の監査内容を簡略化して、監査に掛かる経費や人力を削減することが可能になる。さらに、そのような処理を行うためのフローチャートを図１２に示す。なお、図１２においても、セキュリティ管理に関する端末装置２でのステップＳ５までの処理とサーバ装置１でのステップＳ１５までの処理は上述した図２における処理と同様であり、さらにその他の処理においても共通する部分には、同一符号を附して重複の説明を割愛する。
【００４３】
この図１２のフローチャートにおいて、端末装置２のステップＳ５の選択画面表示の後に、ステップＳ５１として供給元識別情報入力を設ける。そしてステップＳ８の選択情報送信の後にステップＳ５２として供給元識別情報送信を設けて、入力された供給元識別情報をサーバ装置１に送信する。一方、サーバ装置１では、ステップＳ１６の選択情報受信の後のステップＳ６１で供給元識別情報取得を行い、ステップＳ１７のデータベース情報抽出の後のステップＳ６２で供給元情報に基づく情報の取捨を行う。
【００４４】
これによって、サーバ装置１のステップＳ６２では、工程監査支援情報データベース１１から選択された加工工程の情報に従って抽出された工程監査支援情報に対して、供給元情報に基づく取捨が行われる。すなわち、上述したように監査において継続して高い評価に判定された部品供給元に対しては、以後の監査においては監査内容を簡略化して、監査に掛かる経費や人力を削減することが可能になる。また、このような監査項目の検討が自動的に行われるため、監査の準備に要する時間を大幅に短縮することができる。
【００４５】
さらに本発明の工程監査支援システム、工程監査支援サーバ装置及び工程監査支援プログラムにおいては、工程監査支援情報データベース１１に登録された工程監査支援情報としての監査項目情報や判断基準情報を、必要に応じて追加したり、削除したり、改訂するなどの処理も行うことができる。すなわち図１３には、情報の追加等を行うためのフローチャートを示す。なお、図１３においても、上述した図２における処理と共通する部分には、同一符号を附して重複の説明を割愛する。
【００４６】
この図１３において、サーバ装置１のステップＳ１３でパスワードが正しいとき（Ｙｅｓ）は、ステップＳ８１で入力画面の送信が行われる。これにより監査実行者が用いる端末装置２のステップＳ７１では、図１４に示すような修正情報の入力画面が表示される。ここで入力画面には、検討・登録の納期及び検討・登録完了日の表示と、工程名及び追加・修正するチェックポイントの内容の記入欄が設けられる。さらに検討結果の表示欄が設けられている。
【００４７】
そしてこの入力画面において、納期はデフォルトで１ヵ月後の日付が指定されるが、釦により任意に変更できる。また完了日は、検討・登録の完了後に自動的に記入される。これに対して、工程名及び追加・修正するチェックポイントの内容は、例えば文書作成ソフトによって記入されるものであり、端末装置２において監査実行者が自由に記入することができるものである。さらに検討結果の表示欄は、検討結果等に応じて自動的に表示される。
【００４８】
従ってステップＳ７２においては、監査実行者は端末装置２の入力画面を用いて自由に追加・修正するチェックポイントの内容を記入することができる。さらにステップＳ７３で修正入力が完了したか否か判断され、完了でないとき（Ｎｏ）はステップＳ７２に戻されて、修正入力が継続される。これに対して、ステップＳ７３で選択入力が完了したとき（Ｙｅｓ）は、ステップＳ７４で記入された工程名及び追加・修正するチェックポイントの内容等からなる修正情報がサーバ装置１に向けて送信される。
【００４９】
さらに送信された修正情報がサーバ装置１のステップＳ８２で受信されると、受信された修正情報がステップＳ８３で修正の可否の検討を行う管理者の端末装置３に向けて送信される。すなわちここでは、監査実行者が記入した追加・修正するチェックポイントの内容に対して管理者による検討が行われるものである。なおこのシステムにおいて、監査実行者が用いる端末装置２と管理者が用いる端末装置３は、それぞれが複数設けられていても構わない。また、これらの端末装置２、３は共通である場合も含まれる。
【００５０】
そしてこの端末装置３においても、最初にセキュリティ管理が実施され、端末装置３のステップＳ９１でアクセスが行われると、サーバ装置１のステップＳ１０で起動が行われ、ステップＳ１１でパスワードの要求が端末装置３に対して送信される。これに対して端末装置３では、ステップＳ９２で図３に示すようなパスワード要求の画面が受信、表示され、ステップＳ９３でパスワードが入力されると、サーバ装置１に向けて入力されたパスワードが送信される。
【００５１】
このパスワードがサーバ装置１のステップＳ１２で受信されると、ステップＳ１３ではパスワードが正しいか否か判断される。ここでパスワードが正しくない場合（Ｎｏ）は、ステップＳ１４でアクセス拒否の情報が端末装置３に送信されて処理は終了される。また、端末装置３では、ステップＳ９４で拒否の情報が表示されて処理は終了される。なお、ここでの終了は処理の終了であり、この終了によってプログラムの先頭に戻されるものである。またこの端末装置３におけるセキュリティ管理は、さらに強化したものでも良い。
【００５２】
そこで、上述のサーバ装置１のステップＳ８３において修正情報が端末装置３に向けて送信されると、送信された修正情報が端末装置３のステップＳ９５で受信され、受信された修正情報がステップＳ９６で検討される。なお、このステップＳ９６における検討は、管理者等の人間によって行われる処理であり、その詳細は本発明の範疇でないので省略する。従って端末装置３では、このステップＳ９６における検討結果が、ステップＳ９７でサーバ装置１に向けて通知されて端末装置３の処理は終了される。
【００５３】
さらに、サーバ装置１のステップＳ８４で、端末装置３のステップＳ９７からの検討結果が受信されると、ステップＳ８５で検討結果が登録であるか否か判断され、登録のとき（Ｙｅｓ）は、ステップＳ８６で修正情報に基づく監査項目情報や判断基準情報の追加・修正が工程監査支援情報データベース１１に登録される。そして、ステップＳ８７で検討結果が端末装置２に向けて通知されてサーバ装置１の処理は終了される。また端末装置２では、ステップＳ７５で検討結果が表示されて処理が終了される。
【００５４】
こうして、本発明の工程監査支援システム、工程監査支援サーバ装置及び工程監査支援プログラムにおいては、工程監査支援情報データベース１１に登録された工程監査支援情報の監査項目情報や判断基準情報を、必要に応じて追加したり、削除したり、改訂するなどの処理を行うことができる。すなわち本発明においては、監査実行者が記入した追加・修正するチェックポイントの内容に対して管理者による検討が行われ、その結果が工程監査支援情報データベース１１に登録された工程監査支援情報に反映されるものである。
【００５５】
以上述べたように、本発明の工程監査支援システム、工程監査支援サーバ装置及び工程監査支援プログラムによれば、工程監査支援システムから出力される工程監査支援情報に基づき工程監査を実施することで、担当者の専門外の加工工程についても監査することが可能になる。また同時に同一の工程監査支援情報に基づいて各担当者が工程監査を実施するため、担当者間の工程監査内容のバラツキを抑えることが可能となる。また監査項目を新たに検討する必要がないため、監査の準備に要する時間が大幅に短縮される。 
【００５６】
また、工程監査支援情報が確認事項とその判断基準であることにより、担当者間の工程監査内容のバラツキを最低限に抑えることが可能となる。さらに工程監査支援情報が加工工程別に管理されていることにより、加工工程別に専門的な領域に踏み込んだ工程監査が実現可能となる。そして、工程監査支援情報の選択手段により、監査対象部品に関連する加工工程に関わる工程監査支援情報だけを抜き出すことで、不要な情報を削除でき、工程監査の効率をアップさせることができる。
【００５７】
さらに、工程監査支援情報の追加・更新を可能とすることで、新たに気づいた確認項目や判断基準を反映できるため、工程監査の継続的な改善が可能となる。また、工程監査支援情報をネットワーク上で管理することで、担当者間での情報の共有ができ、また内容の更新・修正の一元管理が可能となるものである。
【００５８】
なお本発明は、上述の説明した実施形態に限定されるものではなく、特許請求の範囲の記載を逸脱しない範囲において、種々の変形が可能とされるものである。
【図面の簡単な説明】
【００５９】
【図１】本発明による工程監査支援システム、工程監査支援サーバ装置及び工程監査支援プログラムを適用した工程監査支援システムの全体構成の一実施形態を示す構成図である。
【図２】その動作の説明のためのフローチャート図である。
【図３】その説明のための図である。
【図４】その説明のための図である。
【図５】その説明のための図である。
【図６】その説明のための図である。
【図７】その説明のための図である。
【図８】その説明のための図である。
【図９】その説明のための図である。
【図１０】その動作の説明のためのフローチャート図である。
【図１１】その説明のための図である。
【図１２】その動作の説明のためのフローチャート図である。
【図１３】その動作の説明のためのフローチャート図である。
【図１４】その説明のための図である。
【符号の説明】
【００６０】
１００…ネットワーク、１…サーバ装置、２…監査実行者が用いる端末装置（ＰＣ）、３…管理者が用いる端末装置（ＰＣ）、４…出力装置（プリンタ）、１１…工程監査支援情報データベース、１２…情報出力処理部、１３…情報選択処理部、１４…情報入力処理部
【図１】
2007148657.tif 000003
【図２】
2007148657.tif 000004
【図３】
2007148657.tif 000005
【図４】
2007148657.tif 000006
【図５】
2007148657.tif 000007
【図６】
2007148657.tif 000008
【図７】
2007148657.tif 000009
【図８】
2007148657.tif 000010
【図９】
2007148657.tif 000011
【図１０】
2007148657.tif 000012
【図１１】
2007148657.tif 000013
【図１２】
2007148657.tif 000014
【図１３】
2007148657.tif 000015
【図１４】
2007148657.tif 000016